(57)【要約】【課題】  乗客コンベアの利用者などに情報を提供する表示装置にフラットパネルディスプレイを用いた場合に、表示面の位置、角度によっては、表示される情報が見づらくなる場合がある。そこで利用者にとって最適な位置、角度で情報を表示することのできる乗客コンベアの表示装置を提供する。【解決手段】  表示装置１０は、表示装置本体１１と姿勢調整手段１２とを備える。この姿勢調整手段１２は、表示装置本体１１を乗客コンベア１の欄干に支持させると共に、表示装置本体１１の姿勢を調整するものである。姿勢調整手段１２は、表示装置本体１１を、踏段２の進行方向と直交する垂直面内で上下に回動可能に軸支する機構や、表示装置本体１１を、踏段２の進行方向と平行な垂直面内で左右に回動可能に軸支する機構を具備するものである。【選択図】      図２
2005247466.tif 000002
【特許請求の範囲】
【請求項１】
情報を表示する表示装置本体と、
前記表示装置本体を乗客コンベアの欄干に支持させると共に、表示装置本体の姿勢を調整可能な姿勢調整手段と
を備えることを特徴とする乗客コンベアの表示装置。
【請求項２】
前記姿勢調整手段は、前記表示装置本体を、踏段の進行方向と直交する垂直面内で上下に回動可能に軸支することを特徴とする請求項１に記載の乗客コンベアの表示装置。
【請求項３】
前記姿勢調整手段は、前記表示装置本体を、踏段の進行方向と平行な垂直面内で左右に回動可能に軸支することを特徴とする請求項１又は２に記載の乗客コンベアの表示装置。
【請求項４】
前記表示装置本体に表示させる情報を切り替える表示切替装置を更に備えたことを特徴とする請求項１、２又は３に記載の乗客コンベアの表示装置。
【請求項５】
前記表示切替装置は、通信回線を介してインターネットに接続されると共に、このインターネット上の情報を前記表示装置本体に表示可能に構成されたことを特徴とする請求項４に記載の乗客コンベアの表示装置。
【発明の詳細な説明】
【技術分野】
【０００１】
本発明は、エスカレータや動く歩道のような乗客コンベアに取り付けられる乗客コンベアの表示装置に関する。
【背景技術】
【０００２】
エスカレータや動く歩道といった乗客コンベアは、無端状に循環移動する複数の踏段を備えている。そして、乗客は、一方の乗降口から一つの踏段に乗り、踏段の移動に伴って他方の乗降口まで移動される。
【０００３】
かかる乗客コンベアを利用して移動する者、及び乗客コンベアの乗降口の近くにいる者に対して、乗降時の注意事項や行先ガイドや広告などの各種情報を表示するために、欄干などの見易い位置に紙などの情報表示媒体を貼り付けることが行われてきた。また近年では、乗客コンベアに情報の表示装置を取り付けて、多様な情報を表示することが行われている。
【０００４】
かような表示装置に関して、特許文献１では、欄干パネルの内部に照明体を設け、この照明体の両側方に情報の表示体を設けた装置が開示されている。しかし、この特許文献１に開示の表示装置では、照明体や表示体の取り付けのために、欄干パネルに加工を施す必要があるし、また、メンテナンス時における照明体の取り付け、取り外しの作業は容易でない。
【０００５】
また、特許文献２には、投影式表示装置を用いて、欄干ガラスに投影式表示装置からの情報を投影する技術が開示されている。しかし、この特許文献２に開示の表示装置では、投影された情報をすりガラス又はハーフミラーのガラスに投影することから、投影された光の一部はガラスを透過してしまい、情報表示には活用されないため、表示効率が良いとはいえなかった。
【０００６】
更に、液晶ディスプレイやプラズマディスプレイなどのフラットパネルディスプレイを活用することも考えられるが、これらのフラットパネルディスプレイでは、情報を表示する表示面の位置、角度によっては、周囲の照明が映り込んで、表示される情報が見づらくなる場合がある。特に液晶ディスプレイは概して視野角が狭いことから、表示面の位置、角度によっては、利用者などが十分に視認できない場合がある。
【特許文献１】実開平３−２０５２９２号公報
【特許文献２】特開平７−２７７６５１号公報
【発明の開示】
【発明が解決しようとする課題】
【０００７】
本発明は、上記の問題を有利に解決するもので、欄干パネルに加工を施すことなく、投影式とは別の表示手法によって、利用者にとって最適な位置、角度で情報を表示することのできる乗客コンベアの表示装置を提供することを目的とする。
【課題を解決するための手段】
【０００８】
本発明は、情報を表示する表示装置本体と、前記表示装置本体を乗客コンベアの欄干に支持させると共に、表示装置本体の姿勢を調整可能な姿勢調整手段とを備えることを特徴とする乗客コンベアの表示装置である。
【発明の効果】
【０００９】
本発明の乗客コンベアの表示装置によれば、表示装置本体が姿勢調整手段を介して、例えば欄干のデッキ上に取り付けられることから、欄干パネル自体には特別な加工を施すことが不要であり、また、前記姿勢調整手段により、表示装置本体を所望の姿勢に調整することができるので、乗客コンベアの乗客やその乗客コンベアの周囲にいる者は、情報を容易に、かつ確実に視認することができる。
【発明を実施するための最良の形態】
【００１０】
以下、図面を用いて、本発明の乗客コンベアの表示装置の一実施形態を説明する。
【００１１】
図１は、本発明の表示装置が取り付けられているエスカレータの一例を、下階側の床面より上の範囲で示す概略図である。図２は、エスカレータの下階側の乗降口近傍に設けられている、本発明の一実施形態に係る表示装置の背面図であり、図３は図２の側面図である。
【００１２】
エスカレータ１は、無端状に循環移動する複数の踏段２を備えている。この踏段２の両側縁には踏段２の進行方向に沿って複数の欄干柱３が立設されており、この複数の欄干柱３の間に透明ガラス等から成る欄干パネル４が設けられている。この欄干柱３及び欄干パネル４の上端部において、移動手すり５が摺動可能に支持案内されている。そして、欄干柱３及び欄干パネル４の下端部には、板状の化粧材であるデッキボード６が設けられていて、このデッキボード６は、欄干パネルを挟んで外側を外デッキ６ａ、踏段側を内デッキ６ｂと呼称される。
【００１３】
そして、この外デッキ６ａ上に表示装置１０が下階側の乗降口７近傍、上階側の乗降口８近傍、及び上下階の中間部のそれぞれに設けられている。これらの表示装置１０のうち、下階側の乗降口７近傍及び上階側の乗降口８近傍に設けられた表示装置１０は、エスカレータ１に乗り降りする者及び乗降口７、８の近くにいる者に情報を表示することができるように、情報が表示される表示面が欄干パネル４を背後にするように配置されている。一方、上下階の中間部に設けられた表示装置１０は、乗客が踏段２の移動に伴い搬送される途中で、欄干パネル４を透して情報を視認することができるように、表示面が欄干パネル４に対向するように配置されている。
【００１４】
かかる表示装置１０を図２及び図３を用いて、より具体的に説明する。表示装置１０は、情報を表示させる表示装置本体１１を備えている。この表示装置本体１１は、例えば、液晶ディスプレイやプラズマディスプレイなどのフラットパネルディスプレイとすることができる。表示装置本体１１は、その姿勢を調整する姿勢調整手段１２を介して外デッキ６ａに支持固定されている。
【００１５】
本実施形態における姿勢調整手段１２は、以下の構成による。すなわち、表示装置本体１１の背面１１ａに、本体支持具１３が、タッピングネジ１４により取り付け固定されている。そして、この本体支持具１３に設けた一対の軸受部１３ａと棒状の連結継手１５の上端部とが、表示装置本体１１の背面１１ａと平行でかつ水平方向に配置された連結ピン１６を介して回動可能に連結されている。一方、連結継手１５の下端部は、外デッキ６ａ上に取り付けられているベース材１７に設けた一対の軸受部１７ａと、表示装置本体１１の背面１１ａと直交する方向でかつ水平方向に配置された連結ピン１８を介して回動可能に連結されている。なお、ベース材１７は、外デッキ６ａの裏側に設けられた裏板１９とともに、外デッキ６ａに対してボルト２０及びナット２１により締結固定されている。外デッキ６ａは薄板であることから、幅広でかつ剛性のある裏板１９を用いて、外デッキ６ａを挟むようにベース材１７を取り付けることにより、安定した取り付けが可能となる。
【００１６】
以上の構成になる姿勢調整手段１２を具備する本実施形態の表示装置１０は、連結ピン１６を回転軸として、表示装置本体１１の表示面が踏段２の進行方向と直交する垂直面内において上下方向に回動可能になっているから、周囲の照明が映り込まない適切なチルト角度に調整することができる。したがって、乗客や歩行者に最適角度で情報を表示することができる。
【００１７】
また、連結継手１５がベース材１７に対し、連結ピン１８を回転軸として踏段２の進行方向と平行な垂直面内において左右に回動可能に連結されているから、ベース材１７を取り付ける外デッキ６ａが、所定の勾配を有する場合であっても、表示装置本体１１の表示面が傾かないよう調整することができる。
【００１８】
図４は、本実施形態の表示装置１０が、上下階の中間部に取り付けられている状態を示す図であり、外デッキ６ａは、踏段の進行方向に従う所定の勾配を有している。図４に示したように、表示装置１０が上下階の中間部に取り付けられている場合であっても、表示装置本体１１を連結ピン１８を回転軸として回動させて、この表示装置本体１１の表示面が傾かないよう調整することができる。
【００１９】
なお、本体支持具１３と連結継手１５との位置決め固定は、その両者を連結する連結ピン１６の少なくとも一方の端部に、図示しないボルトを取り付けて、このボルトを締めつけることにより回動を抑止するようにしてもよいし、本体支持具１３が連結継手１５に対して適度の摩擦力をもって摺動するような構成にして、その摺動時の摩擦力により位置決め固定するようにしてもよい。連結継手１５とベース材１７との位置決め固定も同様に、その両者を連結する連結ピン１８の少なくとも一方の端部に、図示しないボルトを取り付けて、このボルトを締めつけることにより回動を抑止するようにしてもよいし、連結継手１５がベース材１７に対して適度な摩擦力をもって摺動するような構成にして、その摺動時の摩擦力により位置決め固定するようにしてよい。また、連結継手１５における連結ピン１８の取り付け部の周囲と、ベース材１７における前記取り付け部の周囲に対向する部位のいずれか一方に、例えば放射線状に形成された複数の窪みを設け、そして、いずれか他方にはこの窪みに係合する突起を設けて両者を係合させることにより、連結継手１５とベース材１７とを所望の角度で固定することもできる。また、本体支持具１３と連結継手１５との連結部も同様に構成してもよい。
【００２０】
ところで、かような表示装置１０に表示させる情報としては、エスカレータ１が設置される場所に応じて、種々のものが考えられる。
【００２１】
例えば、ホテルなどの宿泊施設においては、館内案内、イベント情報、宿泊プランなどの情報を表示させることができる。ショッピングセンターやスーパーなどの商業施設においては、店内案内、セール案内、迷子案内、キャンペーン紹介、広告などの情報を表示させることができる。劇場やホールや映画館などの文化施設においては、展示会案内、イベント情報、ホール案内図、映画公開情報などの情報を表示させることができる。駅、駅ビル、空港などの交通施設においては、時刻表、終電案内、列車案内、乗り換え案内、発着案内、フライト情報、キャンペーン紹介、広告などの情報を表示させることができる。また、これらのいずれの施設においても、気象情報や臨時的な地震情報、火災情報（非常口案内）、臨時ニュースなどの緊急情報をも表示させることができる。
【００２２】
そこで、本実施形態においては、これらの各種情報を、適宜に切り替えて表示するための表示切替装置を、更に具備することができる。図５は、かかる表示切替装置の模式図であり、複数のエスカレータ５１、６１及び７１のそれぞれに設けられた表示装置１０と、表示切替装置８１とが、電気的に接続されている。この表示切替装置８１は、例えば、表示装置１０に表示させる情報をコントロールするソフトウエアがインストールされたコンピュータであって、表示装置１０に表示させる情報を個別に、又は一括して切り替えることができるようになっている。また、表示切替装置８１は、電気通信回線を通じてインターネット９１に接続できるようになっており、このインターネット９１から入手された情報を表示装置１０に表示したり、表示装置１０に表示させる情報をインターネット９１から遠隔操作で切り替えたりすることができるようになっている。このような表示切替装置８１は、例えば、エスカレータ１の乗降口の下方にある機械室内に設けられて、この機械室内の補助盤と、欄干に取り付けられた表示装置１０とそれぞれ配線により電気的に接続されている。表示切替装置８１と表示装置１０を接続する配線は、表示切替装置８１からエスカレータ１の自重を支える構造体であるトラス内を経て、外デッキ６ａに設けられた貫通孔を通して表示装置１０に接続される。この貫通孔に通される配線が貫通孔の端面と接触して傷むのを防止するために、貫通孔の周囲にゴムや樹脂などのブッシュを設けて配線を保護することが好ましい。
【００２３】
本発明の表示装置は、前述した一実施形態に限定されず、種々の改変を施すことができる。例えば、図２ないし図４に示した表示装置１０においては、姿勢調整手段１２の回動機構は、軸方向が水平方向であって互いに直交する向きになる２個の回転軸（連結ピン１６、１８）を具備していたが、回動機構の構造は図２ないし図４に示した例に限られるものではない。図６は、他の実施形態に係る表示装置を示している。なお、図６において、既に図２ないし図４で説明した部材と同一又は類似の部材には、同一符号を付しており、重複する説明は省略するものとする。
【００２４】
図６に示した本実施形態においては、表示装置本体１１背面で本体支持具１３と連結継手１５とが連結ピン１６を介して回動可能に連結されている点では、前述した実施形態と同じであるが、連結継手１５の下端部は、外デッキ６ａ上に設けられたアーム２７の一端部から垂直上方に突設された連結ピン２８により連結され、連結継手１５は連結ピン２８の軸線を中心として回動可能となっている。アーム２７は、他の端部において、外デッキ６ａの背面に取り付け固定された裏板２９と、垂直に延びる連結ピン３０を回転軸として回動可能に連結されている。このような構成により、表示装置本体１１は、連結継手１５とアーム２７の一端部とを連結する連結ピン２８を回転軸として、この連結ピン２８の軸線の回りに回動可能となっているともに、アーム２７の他端部に取り付けられた連結ピン３０を中心に旋回可能になっている。したがって、乗降口近傍に表示装置１０を設けた場合において、利用者及びその周囲の歩行者の障害にならない範囲で、表示装置本体１１の向きを適宜に変えることができるため、乗客は表示装置本体１１に表示された情報を確実に視認することができる。
【００２５】
また、エスカレータ１の中間部あたり、もしくは中間部あたりで下階側の乗降口寄りに表示装置１０が設置可能な場合には、表示面をエスカレータ１の踏段がない側に向けて配置、もしくはエスカレータの外デッキ側に設置することも可能である。さらに、表示面を外デッキ側の通路を通行する人に対向するように、また下階側に向くように向けたり、設置高さを下階を通行する人の目線に適した位置にしても良い。このような設置を行うことで、利用者に対してより適した表示環境を提供することができる。
【図面の簡単な説明】
【００２６】
【図１】本発明の一実施形態の表示装置が取り付けられているエスカレータの概略図である。
【図２】本発明の一実施形態に係る表示装置の背面図である。
【図３】図２の側面図である。
【図４】一実施形態に係る表示装置が、上下階の中間部に取り付けられているところを示す図である。
【図５】表示切り替え装置の模式図である。
【図６】他の実施形態に係る表示装置の背面図である。
【符号の説明】
【００２７】
１  エスカレータ
２  踏段
３  欄干柱
４  欄干パネル
５  移動手すり
６  デッキボード
６ａ  内デッキ
１０  表示装置
１１  表示装置本体
１２  姿勢調整手段
１３  本体支持具
１４  タッピングネジ
１５  連結継手
１６  連結ピン
１７  ベース材
１８  連結ピン
１９  裏板
２０  ボルト
２１  ナット
８１  表示切替装置
９１  インターネット
【図１】
2005247466.tif 000003
【図２】
2005247466.tif 000004
【図３】
2005247466.tif 000005
【図４】
2005247466.tif 000006
【図５】
2005247466.tif 000007
【図６】
2005247466.tif 000008